(57)【特許請求の範囲】
【請求項１】
駆動源と、前記駆動源によって駆動される部材であって、第１のカムと第２のカムが形成された駆動部材と、前記駆動部材に連動して、使用状態と収納状態との間で移動する発光部とを有する撮像装置であって、
前記第１のカムは、前記発光部と係合して、前記撮像装置が撮像可能状態となるときに前記発光部を前記使用状態にするとともに、前記撮像装置が撮像不能状態となるときに前記発光部を前記収納状態にするリードを有するカムであり、且つ、前記撮像装置が撮像不能状態から撮像可能状態への移行において前記発光部と係合する第１のリード部の他に当該第１のリード部よりリードが立っている第２のリード部とを有するよう形成され、
前記第２のカムは、前記撮像装置が前記撮像可能状態となるときに、手動操作によって前記発光部を前記使用状態から前記収納状態に移動させた場合に、当該発光部が前記第１のカムとの係合を解除して係合するカムであり、且つ、前記発光部と係合している状態において前記撮像装置を前記撮像可能状態から前記撮像不能状態とする場合に、前記発光部が前記第１のカムと係合する前に前記発光部との係合が解除されるよう形成されており、
前記撮像装置を前記撮像可能状態から前記撮像不能状態とする場合、前記第２のカムとの係合が解除されてから前記第１のカムの前記第２のリード部で前記発光部が係合することを特徴とする撮像装置。
【請求項２】
前記撮像装置を前記撮像可能状態から前記撮像不能状態とする場合、前記第２のカムとの係合が解除されてから前記第１のカムの前記第２のリード部で前記発光部が係合するとき、前記発光部が撮像面側に移動するように形成された前記第２のカムにおける第３のリード部を有することを特徴とする請求項１に記載の撮像装置。
【請求項３】
前記第２のカムのカム溝の中心位置が前記第１のカムの収納位置よりも撮像面側にあることを特徴とする請求項１または２に記載の撮像装置。
【請求項４】
前記駆動部材の回転により前記発光部が収納される際、前記第１のカムの第１のリード部を経由したあとに前記第２のリード部を経由せずに前記第１のカムの前記収納位置に前記発光部の係合が移動するように設けられていることを請求項１乃至３のいずれか１項に記載の撮像装置。
【発明の詳細な説明】
【技術分野】
【０００１】
本発明は、使用状態と収納状態との間で移動する発光部を有する撮像装置に関するものである。
【背景技術】
【０００２】
従来、この種の撮像装置において、発光ユニットは電源オフ時などの撮像不能状態では収納状態となり、電源オン時などの撮像可能状態では、撮像装置本体から突出した使用状態となる。
【０００３】
特許文献１には、レンズ鏡筒の沈胴位置からの繰り出し動作、および沈胴位置への繰り込み動作に連動し、発光ユニットを使用状態と収納状態との間で移動させる撮像装置が開示されている。
【先行技術文献】
【特許文献】
【０００４】
【特許文献１】特開平０７−１９９２９５号公報
【発明の概要】
【発明が解決しようとする課題】
【０００５】
従来の撮像装置では、撮像可能状態となるレンズ鏡筒が繰り出した状態では発光ユニットは常に突出した使用状態となり、撮像不能状態となるレンズ鏡筒が沈胴状態では常に収納状態となる。
【０００６】
これは、電源オンと同時に発光ユニットが突出した使用状態とすることで、撮像の機会を逃さないという利点はある。しかし、ストロボの発光をさせない場合でも、電源オンと同時に発光ユニットを突出させてしまうため、被写体にストロボの発光を予期させてしまう。
【０００７】
また、発光ユニットの使用状態と収納状態との間の移動を、レンズ鏡筒の沈胴位置と繰り出し位置との移動に連動させると、撮像可能状態では発光ユニットが常に突出してしまい、撮像装置のホールディングを妨げてしまうという課題があった。
【０００８】
このような課題に鑑みて、本発明は、撮像可能状態にて使用状態となった発光ユニットを手動で収納状態とすることができるとともに、発光ユニットを収納状態としたまま、撮像装置を撮像不能状態とすることの可能な撮像装置を提供することにある。
【課題を解決するための手段】
【０００９】
本願発明の技術思想の一側面は、上記課題を考慮して、駆動源と、前記駆動源によって駆動される部材であって、第１のカムと第２のカムが形成された駆動部材と、前記駆動部材に連動して、使用状態と収納状態との間で移動する発光部とを有する撮像装置であって、  前記第１のカムは、前記発光部と係合して、前記撮像装置が撮像可能状態となるときに、前記発光部を前記使用状態にするとともに前記撮像装置が撮像不能状態となるときに、前記発光部を前記収納状態にするリードを有するカムであって、前記撮像装置が撮像不能状態から撮像可能状態への移行において前記発光部と係合する第１のリード部の他に当該第１のリード部よりリードが立っている第２のリード部とを有するよう形成されているとともに、前記第２のカムは、前記撮像装置が前記撮像可能状態となるときに、手動操作によって、前記発光部を前記使用状態から前記収納状態に移動させた場合に、当該発光部が前記第１のカムとの係合を解除して係合するカムであって、前記発光部と係合している状態において前記撮像装置を前記撮像可能状態から前記撮像不能状態とする場合に、前記発光部が前記第１のカムと係合する前に前記発光部との係合が解除されるよう形成されており、前記撮像装置を前記撮像可能状態から前記撮像不能状態とする場合、前記第２のカムとの係合が解除されてから前記第１のカムの前記第２のリード部で前記発光部が係合する。
【発明の効果】
【００１０】
本発明によれば、撮像可能状態にて使用状態となった発光ユニットを手動で収納状態とすることができるとともに、発光ユニットを収納状態としたまま、撮像装置を撮像不能状態とすることの可能な撮像装置を提供することができる。
【図面の簡単な説明】
【００１１】
【図１】本発明の実施形態であるデジタルカメラの外観斜視図である。
【図２】レンズ鏡筒ユニットの分解斜視図である。
【図３】レンズ鏡筒ユニットを説明する図である。
【図４】発光ユニットの分解斜視図である。
【図５】発光部を説明する図である。
【図６】発光部が使用状態と収納状態との間で移動する動作を説明する図である。
【図７】駆動環３０に形成される３つのカム形状を説明する図である。
【図８】発光部の動作を説明する図である。
【図９】発光部が手動操作される際の動作を説明する図である。
【図１０】収納状態となった発光部を、手動操作によって使用状態まで移動させる動作を説明する図である。
【図１１】駆動環３０に形成されるカム形状を説明する図である。
【発明を実施するための形態】
【００１２】
以下、本発明の実施例について、図１〜１０を参照しながら詳細に説明する。
【００１３】
＜デジタルカメラの４つの状態＞
図１は本発明を実施した撮像装置としてのデジタルカメラを説明するものであって、本実施例のデジタルカメラの４つの状態を説明する図である。図１（ａ）は、撮像不能状態の一例である電源オフ状態を示している。この状態ではレンズ鏡筒ユニットＬは沈胴状態となり、発光ユニット１は収納状態となる。図１（ｂ）は、撮像可能状態の一例である電源オン状態を示している。この状態ではレンズ鏡筒ユニットＬは繰り出し状態となり、発光ユニット１は使用状態となる。撮像不能状態から撮像可能状態への移行が行われる。図１（ｃ）は、図１（ｂ）に示す状態から、発光ユニット１を手動操作によって使用状態から収納状態に移動させた状態を示している。この状態ではレンズ鏡筒ユニットＬは繰り出し状態となり、発光ユニット１は収納状態となる。図１（ｄ）は、図１（ａ）に示す状態から、発光ユニット１を手動操作によって収納状態から使用状態に移動させた状態を示している。この状態ではレンズ鏡筒ユニットＬは沈胴状態となり、発光ユニット１は使用状態となる。
【００１４】
本実施例のデジタルカメラは図１（ｂ）の状態から手動操作によって、図１（ｃ）の状態とすることができる。そして、図１（ｃ）の状態で電源をオフしたときに、発光部Ｓは収納状態のまま、図１（ａ）の状態となる。また、本実施例のデジタルカメラは図１（ａ）の状態から図１（ｄ）の状態とすることができる。そして、図１（ｄ）の状態で電源をオンしたときに、発光部Ｓは使用状態のまま、図１（ｂ）の状態となる。
【００１５】
＜レンズ鏡筒ユニットＬの分解斜視図＞
図２はデジタルカメラのレンズ鏡筒ユニットＬの分解斜視図である。
【００１６】
レンズ鏡筒ユニットＬは、１群レンズ、２群レンズおよび不図示の３群レンズから構成される。１群レンズは１群レンズホルダ１０に保持され、２群レンズは２群レンズホルダ１１に保持される。直進案内板１２には、１群レンズホルダ１０を光軸方向へ移動可能に支持する１群案内棒１３が形成されている。１群案内棒１３は、１群レンズホルダ１０の内面に形成された光軸方向へ延びる不図示の溝に係合している。同様に、直進案内板１２には、２群レンズホルダ１１を光軸方向へ移動可能に支持する２群案内棒１５が一体的に形成されている。２群案内棒１５は２群レンズホルダ１１の外周部に設けられた２群直進穴１４に係合し、２群レンズホルダ１１を光軸方向へ移動可能に支持する。
【００１７】
したがって、直進案内板１２に形成される１群案内棒１３および２群案内棒１５によって、１群レンズホルダ１０および２群レンズホルダ１１は光軸方向へ移動を案内される。また、直進案内板１２のフランジ部の外縁部には複数の突起１６が形成されている。突起１６が固定カム環１７の内面に設けられた光軸方向へ伸びる複数の溝１８にそれぞれ係合することにより、直進案内板１２は光軸方向へ移動可能に支持される。
【００１８】
移動カム環１９の外周面には、外周面を３等分するようにカムフォロワー２０が形成される。カムフォロワー２０は固定カム環１７の内面に形成された同形状の３本のカム２１にそれぞれカム係合する。これによって、移動カム環１９の回転に伴いカムフォロワー２０はカム２１をトレースし、移動カム環１９は回転しながら光軸方向に移動する。
【００１９】
さらに、移動カム環１９の内周面後端部に設けられた係合溝２２に、直進案内板１２のフック２３が係合することによって、直進案内板１２は移動カム環１９に対して回転可能に係合する。これにより、移動カム環１９の光軸方向への移動にともない、直進案内板１２もともに光軸方向へ移動する。
【００２０】
１群レンズホルダ１０の外周面部には、外周面を３等分するように１群カムフォロワー２４が形成される。１群カムフォロワー２４は移動カム環１９の内周面に設けられた同形状の３本の１群カム２５にそれぞれカム係合する。これによって、移動カム環１９の回転に伴って１群カムフォロワー２４は１群カム２５をトレースする。また、１群レンズホルダ１０は光軸方向へ移動するよう案内されているので、１群レンズホルダ１０は移動カム環１９の回転に伴って１群カム２５の光軸方向への変位量に合わせて移動する。
【００２１】
２群レンズホルダ１１の外周面部には、外周面を３等分するように２群カムフォロワー２６が形成される。２群カムフォロワー２６は、移動カム環１９の内周面に設けられた同形状の３本の２群カム２７にそれぞれカム係合する。これによって、移動カム環１９の回転に伴って２群カムフォロワー２６は２群カム２７をトレースする。また、２群レンズホルダ１１は光軸方向へ移動するよう案内されているので、２群レンズホルダ１１は移動カム環１９の回転に伴って２群カム２７の光軸方向への変位量に合わせて移動する。
【００２２】
移動カム環１９の外周面には、外周面を３等分するように駆動ピン２８が形成される。駆動ピン２８は固定カム環１７の内周面から外周面に貫通するカム穴２９を貫通して固定カム環１７の外周面から突出する。カム２１とカム穴２９は同形状であり、移動カム環１９の固定カム環１７に対する回転繰り出し移動に対して、駆動ピン２８はカム穴２９をトレースしてカム環１７から突出した状態を維持する。
【００２３】
駆動部材としての駆動環３０は固定カム環１７の外周面に嵌合して回転自在に支持される。駆動環３０の内周面には、光軸方向へ伸びる溝３１が３等分にするように配置され、溝３１に駆動ピン２８がそれぞれ係合する。これにより、駆動環３０の回転が溝３１と駆動ピン２８を介して移動カム環１９へと伝達される。
【００２４】
このように、１群レンズホルダ１０、２群レンズホルダ１１、直進案内板１２、固定カム環１７、移動カム環１９および駆動環３０は一体となり、それぞれが連携して動作する。そしてこの一体となった部品は鏡筒ベース３２へと組み込まれる。さらに、撮像素子を保持する撮像素子ホルダ３３が鏡筒ベース３２とともに固定カム環１７のフランジ部分を挟み込むように固定される。
【００２５】
レンズ鏡筒ユニットＬの駆動源４４は電力を動力へと変換する電磁モーターである。駆動源４４の動力はギア列４５を介して駆動環３０の外周面に形成された駆動環ギア４６へと伝達される。これにより、駆動源４４への通電によって駆動環３０を回転させることができる。
【００２６】
鏡筒ベース３２は駆動源４４およびギア列４５を保持するとともに、移動部材としてのスライダ３７を光軸方向に移動可能に保持する。スライダ３７は鏡筒ベース３２に保持されたスライダシャフト３８に案内されることで、鏡筒ベース３２上において、光軸方向へ移動可能となっている。スライダ３７には、スライダ３７の内部に進退可能なフォロワーとしてのストロボフォロワー３９が形成され、ストロボフォロワー３９は圧縮ばね４０によってスライダ３７から突出する方向に付勢されている。
【００２７】
駆動環３０の外周面には、ストロボフォロワー３９と係合可能な第１のストロボカム３０ａ、第２のストロボカム３０ｂおよび第３のストロボカム３０ｃが形成されている。ストロボフォロワー３９が第１のストロボカム３０ａと係合する場合には、駆動環３０が回転することによって、スライダ３７は鏡筒ベース３２上で光軸方向に移動する。
【００２８】
＜レンズ鏡筒ユニットＬ＞
図３は、レンズ鏡筒ユニットＬを説明する図である。図３（ａ）はレンズ鏡筒ユニットＬの外観斜視図である。図３（ａ）の状態ではレンズ鏡筒ユニットＬは沈胴状態となっている。図３（ｂ）は図３（ａ）の状態におけるレンズ鏡筒ユニットＬの外観正面図である。図３（ｃ）はレンズ鏡筒ユニットＬの図３（ｂ）におけるＡ−Ａ断面図である。
図３（ａ）に示すように、スライダ３７にはＵ字部３７ａが形成され、後述するストロボホルダー４０８から突出形成される突起４０８ｂを挟み込む。図３（ｃ）に示すように、スライダ３７には、スライダ３７をスライダシャフト３８に支持した状態で、駆動環３０の外周面に対して略垂直となる穴部が形成され、この穴部にストロボフォロワー３９および圧縮ばね４０が挿入されている。図３（ｃ）の状態では、ストロボフォロワー３９は第１のストロボカム３０ａと係合している。
【００２９】
＜発光ユニット１の分解斜視図＞
図４はデジタルカメラの発光ユニット１の一部をより詳細に説明する分解斜視図である。図４（ａ）は、発光ユニット１の分解斜視図で、４０１は、キセノン管であり、リード線４０２によって、図４（ｂ）に示すフレキシブル配線基板４０３と電気的に接続される。フレキシブル配線基板４０３は発光制御を行うストロボ基板４０４と電気的に接続されている。反射笠４０５はキセノン管４０１からの光を集光させる。キセノン管ゴム４０６はキセノン管４０１の端子部の絶縁を行うとともに、キセノン管４０１を反射笠４０５側へ付勢する。プリズムパネル４０７はキセノン管４０１と反射笠４０５からの光を所望の範囲に照射する。
【００３０】
キセノン管４０１、反射笠４０５、キセノン管ゴム４０６およびプリズムパネル４０７をストロボホルダー４０８に配置した後、ストロボカバー２をストロボホルダー４０８にビスによって固定することで、発光ユニット１は組み立てられる。
【００３１】
図４（ｂ）は、発光ユニット１が使用状態と収納状態との間で移動するように保持する構造を説明する図である。発光ユニット１は、ストロボシャフト３０２によってストロボベース３０１に対して回動可能に支持される。ストロボホルダー４０８には、トグルばね４０９の一端を引っ掛ける軸４１０が圧入されている。トグルばね４０９の他端はストロボベース３０１に備える軸３０１ａに引っ掛けられる。トグルばね４０９は、ストロボシャフト３０２を回動中心に発光ユニット１を使用状態および収納状態に付勢する付勢部材として機能する。
【００３２】
フレキシブル配線基板４０３、ストロボ基板４０４およびストロボコンデンサー４１２は取り付け部材４１１に取り付けられる。ストロボベース３０１もビスによって取り付け部材４１１に取り付けられる。
【００３３】
フレキシブル配線基板４０３には、レバー式検知スイッチ４０３ａが実装され、発光ユニット１が使用状態であるのか、収納位置であるのかを検知する。レバー式検知スイッチ４０３ａは取り付け部材４１１に備える穴４１１ａからレバー部分が突出するように配置される。したがって、発光ユニット１が収納状態となるときには、ストロボホルダー４０８の突起４０８ａが検知スイッチ４０３ａのレバー部分を押し込む。一方、発光ユニット１が使用状態となるときには、突起４０８ａは検知スイッチ４０３ａのレバー部分に接触しない。検知スイッチ４０３ａによって発光ユニット１が使用状態であると検知するときのみ、デジタルカメラは発光ユニット１を発光させる制御を行う。
【００３４】
＜デジタルカメラの発光部の駆動＞
図５はデジタルカメラの発光部の駆動を説明する図である。本実施例では、発光ユニット１およびスライダ３７をあわせて発光部という。
図５では、鏡筒ベース３２、取り付け部材４１１などを省略している。上述したように、駆動環３０が回転すると、ストロボフォロワー３９が第１のストロボカム３０ａをトレースして、スライダ３７は光軸方向に移動する。そして、発光ユニット１は、ストロボベース３０１に対して回動可能に支持される。図５に示すように、ストロボホルダー４０８から突出形成される突起４０８ｂがスライダ３７に形成されるＵ字部３７ａに入り込む。したがって、スライダ３７が光軸方向に移動することで、Ｕ字部３７ａの壁３７ａ１または壁３７ａ２が突起４０８ｂを押し込むことで、発光ユニット１は収納状態と使用状態との間を移動する。
【００３５】
図６は発光部が使用状態と収納状態との間で移動する動作を説明する図である。
図６（ａ）は発光ユニット１を収納した収納状態を示している。図６（ａ）に示すように、この状態では突起４０８ｂはＵ字部３７ａのいずれの壁とも当接していない。この状態では、発光ユニット１は収納状態となる方向に付勢されているトグルばね４０９によって、発光ユニット１は収納状態を保持されている。
図６（ｂ）は図６（ａ）の状態からスライダ３７が矢印Ｑ方向に移動した状態を示している。この状態で、Ｕ字部３７ａの壁３７ａ２が突起４０８ｂと当接し、トグルばね４０９の付勢力に抗して、発光ユニット１を使用状態へ移動させる。
図６（ｂ）の状態からスライダ３７がトグルばね４０９の付勢力の方向が反転する地点まで発光ユニット１を移動させると、トグルばね４０９の付勢方向が反転して、発光ユニット１は使用状態の方向に付勢される。
図６（ｃ）は発光ユニット１が使用状態となった様子を示している。このとき、突起４０８ｂはＵ字部３７ａのいずれの壁とも当接していない。この状態では、発光ユニット１は使用状態となる方向に付勢されているトグルばね４０９によって、発光ユニット１は使用状態を保持できる。
【００３６】
このように、スライダ３７を光軸方向に移動させることによって、発光ユニット１は収納状態から使用状態へ移動する。
【００３７】
なお、発光ユニット１を使用状態から収納状態へ移動する場合には、図６（ｃ）の状態からスライダ３７を図中の左方向に移動させればよい。
【００３８】
＜駆動環３０に形成される３つのカム形状の概要＞
図７は駆動環３０に形成される３つのカム形状の概要を説明する図である。詳細な説明は図１１を用いて後述する。
図７（ａ）は、駆動環３０の正面図および側面図である。図７（ｂ）は、図７（ａ）のＢ−Ｂ断面図である。図７（ｃ）は、駆動環３０を展開し、第１のストロボカム３０ａ、第２のストロボカム３０ｂおよび第３のストロボカム３０ｃが形成される部分を拡大した図である。
【００３９】
図８は発光部の動作を説明する図である。
図８（ａ）は、本実施例のデジタルカメラが図１（ａ）の状態となるときの発光部の状態を示している。図８（ｂ）は、本実施例のデジタルカメラが図１（ｂ）の状態となるときの発光部の状態を示している。図８（ｃ）は、本実施例のデジタルカメラが図１（ｃ）の状態となるときの発光部の状態を示している。図８（ｄ）は、本実施例のデジタルカメラが図１（ｄ）の状態となるときの発光部の状態を示している。
【００４０】
図７（ａ）〜（ｃ）に示すように、駆動環３０には第１のカムとしての第１のストロボカム３０ａ、第２のカムとしての第２のストロボカム３０ｂおよび第３のカムとしての第３のストロボカム３０ｃが形成されている。第１のストロボカム３０ａは、レンズ鏡筒ユニットＬが沈胴状態から繰り出し状態となるときに、発光ユニット１を収納状態から使用状態にするカムである。また、第１のストロボカム３０ａは、レンズ鏡筒ユニットＬが繰り出し状態から沈胴状態となるときに、発光ユニット１を使用状態から収納状態にするカムである。したがって、発光部が図８（ａ）に示す状態と図８（ｂ）に示す状態との間で変化するとき、スライダ３７のストロボフォロワー３９は第１のストロボカム３０ａをトレースする。
【００４１】
第２のストロボカム３０ｂは、レンズ鏡筒ユニットＬが繰り出し状態で、発光ユニット１が収納状態となったときに、発光ユニット１が収納状態のまま、レンズ鏡筒ユニットＬを繰り出し状態から沈胴状態にするカムである。また、第２のストロボカム３０ｂは、レンズ鏡筒ユニットＬが沈胴状態から繰り出し状態となるときに、発光ユニット１を押さえ込んで収納状態のまま、レンズ鏡筒ユニットＬを沈胴状態から繰り出し状態にするカムである。したがって、発光部が図８（ｃ）に示す状態と図８（ａ）に示す状態との間で変化するとき、スライダ３７のストロボフォロワー３９は第２のストロボカム３０ｂをトレースする。
【００４２】
第３のストロボカム３０ｃは、レンズ鏡筒ユニットＬが沈胴状態で、発光ユニット１が使用状態となったときに、発光ユニット１が使用状態のまま、レンズ鏡筒ユニットＬを沈胴状態から繰り出し状態にするカムである。また、第３のストロボカム３０ｃは、レンズ鏡筒ユニットＬが繰り出し状態から沈胴状態となるときに、発光ユニット１を押さえ込んで使用状態のまま、レンズ鏡筒ユニットＬを繰り出し状態から沈胴状態にするカムである。したがって、発光部が図８（ｂ）に示す状態と図８（ｄ）に示す状態との間で変化するとき、スライダ３７のストロボフォロワー３９は第３のストロボカム３０ｃをトレースする。
【００４３】
図７（ｂ）に示すように、第１のストロボカム３０ａ、第２のストロボカム３０ｂは、それぞれ側面にテーパー角を有するテーパー面が形成された溝により構成されている。また、断面として図示していないが、第３のストロボカム３０ｃにおいても、側面にテーパー角を有するテーパー面が形成された溝により構成されている。
【００４４】
図７（ｃ）において、図８（ａ）に示すレンズ鏡筒ユニットＬが沈胴状態となり、発光ユニット１が収納状態となるとき、スライダ３７のストロボフォロワー３９はポジション３０ａ１に位置する。図８（ｂ）に示すレンズ鏡筒ユニットＬが繰り出し状態としてのワイド状態となり、発光ユニット１が使用状態となるとき、スライダ３７のストロボフォロワー３９はポジション３０ａ２に位置する。レンズ鏡筒ユニットＬが繰り出し状態としてのテレ状態となり、発光ユニット１が使用状態となるとき、スライダ３７のストロボフォロワー３９はポジション３０ａ３に位置する。第１のストロボカム３０ａは、ポジション３０ａ１とポジション３０ａ２との間で発光ユニット１を収納状態と使用状態との間で移動させ、ポジション３０ａ２とポジション３０ａ３との間ではカムリフトがほぼ０となるように設定される。
【００４５】
図８（ｂ）に示すように、スライダ３７のストロボフォロワー３９がポジション３０ａ２に位置するときに、発光ユニット１を手動操作によって収納状態とすると、図８（ｃ）に示す状態になる。このとき、ストロボフォロワー３９は第１のストロボカム３０ａとの係合を解除して、ポジション３０ｂ２にて第２のストロボカム３０ｂと係合する。同様に、ストロボフォロワー３９がポジション３０ａ３に位置するときに、発光ユニット１を手動操作によって収納状態とすると、ストロボフォロワー３９は第１のストロボカム３０ａとの係合を解除する。そして、ストロボフォロワー３９はポジション３０ｂ３にて第２のストロボカム３０ｂと係合する。
【００４６】
＜発光部が手動操作される際の動作＞
図９は発光部が手動操作される際の動作を説明する図である。図９（ａ）は、スライダ３７のストロボフォロワー３９がポジション３０ａ２に位置する状態を示している。この状態で発光ユニット１を手動操作によって収納されると、図９（ｂ）に示すように、スライダ３７に矢印Ｆ１方向の力が作用し、ストロボフォロワー３９が圧縮ばね４０の付勢力に抗して、矢印Ｐ方向に移動する。すなわち、ストロボフォロワー３９はスライダ３７の内部に退避する。
【００４７】
これによって、ストロボフォロワー３９は第１のストロボカム３０ａとの係合を解除して、スライダ３７は矢印Ｆ１方向に移動する。そして、図９（ｃ）に示す状態となるときに、ストロボフォロワー３９が圧縮ばね４０の付勢力によって、第２のストロボカム３０ｂに挿入される。このとき、ストロボフォロワー３９が第２のストロボカム３０ｂに挿入される際に、ストロボフォロワー３９の先端が第２のストロボカム３０ｂの斜面をすべることとなるので、矢印Ｆ１方向の力がスライダ３７に作用する。そして、図９（ｄ）に示すように、第２のストロボカム３０ｂと係合する。このように、ストロボフォロワー３９は、駆動環３０の外周面に対して略垂直となるスライダ３７の穴部に進退するので、ストレスなくカムとの係合と係合の解除を行うことができる。
【００４８】
ストロボフォロワー３９が第２のストロボカム３０ｂと係合するときに、レンズ鏡筒ユニットＬが繰り出し状態から沈胴状態となると、ストロボフォロワー３９は図７（ｃ）に示す第２のストロボカム３０ｂの右端までトレースする。そして、ストロボフォロワー３９は第２のストロボカム３０ｂとの係合を解除して、図７（ｃ）の矢印Ｂ１方向に進み、第１のストロボカム３０ａと係合して、ポジション３０ａ１に位置する。
【００４９】
ストロボフォロワー３９がポジション３０ａ１に位置するとき、発光ユニット１を押さえ込んで収納状態のまま、レンズ鏡筒ユニットＬを沈胴状態からワイド状態にする。このとき、ストロボフォロワー３９は第１のストロボカム３０ａとの係合を解除して、図７（ｃ）の矢印Ｂ２方向に進む。そして、ストロボフォロワー３９は第２のストロボカム３０ｂと係合して、ポジション３０ｂ２に位置する。
【００５０】
図８（ａ）に示すように、ストロボフォロワー３９がポジション３０ａ１に位置するとき、発光ユニット１を手動操作によって使用状態とすると、図８（ｄ）に示す状態になる。このとき、ストロボフォロワー３９は第１のストロボカム３０ａとの係合を解除して、ポジション３０ｃ１にて第３のストロボカム３０ｃと係合する。ストロボフォロワー３９がポジション３０ｃ１に位置するとき、レンズ鏡筒ユニットＬを沈胴状態からワイド状態にすると、ストロボフォロワー３９は第３のストロボカム３０ｃとの係合を解除して、矢印Ｃ１方向に進む。そして、ストロボフォロワー３９は第１のストロボカム３０ａと係合して、ポジション３０ａ２に位置する。
【００５１】
ストロボフォロワー３９がポジション３０ａ２に位置するとき、発光ユニット１を押さえ込んで使用状態のまま、レンズ鏡筒ユニットＬをワイド状態から沈胴状態にする。このとき、ストロボフォロワー３９は第１のストロボカム３０ａとの係合を解除して、図７（ｃ）の矢印Ｃ２方向に進む。そして、ストロボフォロワー３９は第３のストロボカム３０ｃと係合して、ポジション３０ｃ１に位置する。
【００５２】
本実施例では、第１のストロボカム３０ａと第２のストロボカム３０ｂとの間、第１のストロボカム３０ａと第３のストロボカム３０ｃとの間はそれぞれ連結されていない。例えば、第１のストロボカム３０ａと第２のストロボカム３０ｂとの間を連結すると、ストロボフォロワー３９がポジション３０ａ１に位置する状態からポジション３０ａ２に位置する状態にする際に、ポジション３０ｂ２に位置する状態となってしまう。すなわち、第１のストロボカム３０ａをトレースせず、第２のストロボカム３０ｂをトレースしてしまう。このようなことから、本実施例では、第１のストロボカム３０ａと第２のストロボカム３０ｂとの間、第１のストロボカム３０ａと第３のストロボカム３０ｃとの間を分離している。
【００５３】
＜収納状態の発光部を手動操作で使用状態とする際の動作＞
図１０は、収納状態となった発光部を、手動操作によって使用状態まで移動させる動作を説明する図である。
【００５４】
図１０（ａ）は、図８（ａ）または図８（ｃ）に示すように、発光ユニット１が収納状態となるときのスライダ３７とストロボホルダー４０８の突起４０８ｂとの関係を示している。図１０（ａ）が、図８（ａ）に示す状態であるとき、ストロボカムフォロワー３９は第１のストロボカム３０ａに係合する。図１０（ａ）が、図８（ｃ）に示す状態であるとき、ストロボカムフォロワー３９は第２のストロボカム３０ｂに係合する。図１０（ａ）に示す状態では、突起４０８ｂとＵ字部３７ａの壁３７ａ１との間に第１のクリアランスＫ１が形成されている。この状態では、トグルばね４０９が発光ユニット１を付勢する方向Ｓは、発光ユニット１を収納状態に向けて付勢する方向となる。
【００５５】
図１０（ａ）に示す状態から発光ユニット１を手動操作によって使用状態に移動させる際には、ストロボカバー２に形成した突起２ａに指を掛けて、矢印Ｒ方向に手動操作する。発光ユニット１を手動操作によって矢印Ｒ方向に回転させると、第１のクリアランスＫ１がなくなって、突起４０８ｂがＵ字部３７ａの壁３７ａ１に当接する。
【００５６】
図１０（ｂ）は、この状態を示している。本実施例では、図１０（ｂ）に示す状態となるとき、発光ユニット１が第１の状態にあるという。このとき、ストロボカバー２と本体カバー９０１との間にクリアランスＴが形成される。図１０（ａ）の状態から図１０（ｂ）の状態までは、手動操作によって発光ユニット１のみが移動し、スライダ３７は移動しない。
【００５７】
図１０（ａ）の状態から図１０（ｂ）の状態までの間に必要な手動操作力はトグルばね４０９が発光ユニット１を収納状態に付勢する付勢力より大きな力であればよい。すなわち、比較的小さな操作力で、発光ユニット１は図１０（ａ）に示す収納状態から図１０（ｂ）の状態まで移動させることができる。
【００５８】
図１０（ｂ）に示す状態から、発光ユニット１をさらに矢印Ｒ方向に回転させると、突起４０８ｂがＵ字部３７ａの壁３７ａ１を押圧して、スライダ３７も矢印Ｆ方向に移動する。図１０（ｃ）は発光ユニット１の回転軸３０２、トグルばね４０９が引っ掛けられる軸３０１ａと軸４１０とが一直線上に並んだ状態を示している。この状態のとき、軸３０１ａと軸４１０とが最も近づくことになり、トグルばね４０９の付勢力が最も大きくなる。したがって、この位置を越えると、トグルばね４０９が発光ユニット１を付勢する方向Ｓは、発光ユニット１を使用状態に付勢する方向となる。
【００５９】
図１０（ｂ）の状態から図１０（ｃ）の状態までの間に必要な手動操作力は、トグルばね４０９が発光ユニット１を収納状態に付勢する付勢力と、スライダ３７を移動させる力との合力より大きな力を必要とする。
【００６０】
スライダ３７を移動させるには、ストロボカムフォロワー３９と第１のストロボカム３０ａまたは第２のストロボカム３０ｂとの係合を解除しなければならない。ストロボカムフォロワー３９と第１のストロボカム３０ａまたは第２のストロボカム３０ｂとの係合を解除するには、ストロボフォロワー３９が圧縮ばね４０の付勢力に抗して、スライダ３７の内部に退避させる力が必要となる。
【００６１】
すなわち、図１０（ｂ）の状態から図１０（ｃ）の状態までの間に必要な手動操作力は、図１０（ａ）の状態から図１０（ｂ）の状態までの間に必要な手動操作力よりも大きくなる。図１０（ｂ）の状態ではストロボカバー２と本体カバー９０１との間に形成されるクリアランスＴに指を掛けることができるので、発光ユニット１に力を掛けやすくなる。
【００６２】
クリアランスＴが形成されない図１０（ａ）の状態から図１０（ｂ）の状態までの間では、ストロボカバー２の突起２ａを押し上げなければならないので、必要な手動操作力を比較的小さくしている。突起２ａの大きさを大きくすれば、収納状態から大きな力で発光ユニット１を押し上げることもできるが、突起２ａを大きくすることは、デジタルカメラのデザイン上、好ましくない。
【００６３】
このような点を勘案して、本実施例のデジタルカメラでは、発光ユニット１を収納状態から第１の状態までは小さな突起であっても、手動操作可能な操作力となるように、第１のクリアランスＫ１を形成している。
【００６４】
図１０（ｄ）は、図８（ｂ）または図８（ｄ）に示すように、発光部が収納状態となるときのスライダ３７とストロボホルダー４０８の突起４０８ｂとの関係を示している。図１０（ｄ）が、図８（ｂ）に示す状態であるとき、ストロボカムフォロワー３９は第１のストロボカム３０ａに係合する。図１０（ｄ）が、図８（ｄ）に示す状態であるとき、ストロボカムフォロワー３９は第３のストロボカム３０ｃに係合する。図１０（ｄ）に示す状態では、トグルばね４０９が発光ユニット１を付勢する方向Ｓは、発光ユニット１を使用状態に向けて付勢する方向となる。この状態では、突起４０８ｂとＵ字部３７ａの壁３７ａ２との間に第２のクリアランスＫ２が形成されている。
【００６５】
また、図１０（ｄ）に示す状態となるとき、発光ユニット１はトグルばね４０９によって使用状態に向けて付勢され、ストロボカムフォロワー３９は第１のストロボカム３０ａまたは第３のストロボカム３０ｃに係合する。ストロボカムフォロワー３９が第１のストロボカム３０ａまたは第３のストロボカム３０ｃに係合し始めると、スライダ３７が図中の右方向に引き寄せられる。これは、圧縮ばね４０によって付勢されたストロボカムフォロワー３９が第１のストロボカム３０ａまたは第３のストロボカム３０ｃに挿入されることによって、スライダ３７を移動させているからである。これによって、図１０（ｄ）に示す状態でも、突起４０８ｂとＵ字部３７ａの壁３７ａ１との間にクリアランスが形成されることとなる。
【００６６】
図１０（ｄ）に示す状態にて、発光ユニット１を手動操作によって図１０（ａ）に示す状態に移動させる場合には、まず第２のクリアランスＫ２がなくなるまでの間は、トグルばね４０９の付勢力に抗する力のみで、発光ユニット１を押し下げることができる。その後、突起４０８ｂがＵ字部３７ａの壁３７ａ２に当接して、スライダ３７を移動させて、図１０（ａ）に示す状態となる。第２のクリアランスＫ２がなくなって、突起４０８ｂがＵ字部３７ａの壁３７ａ２に当接する状態を第２の状態という。
【００６７】
図１０（ａ）においても、圧縮ばね４０によって付勢されたストロボカムフォロワー３９が第１のストロボカム３０ａまたは第２のストロボカム３０ｂに挿入されることで、スライダ３７を移動させる。したがって、突起４０８ｂとＵ字部３７ａの壁３７ａ２との間にクリアランスが形成されることとなる。
【００６８】
以上、説明したように、本実施例のデジタルカメラによれば、撮像不能状態の一例である電源オフから撮像可能状態の一例である電源オン状態へと移行したときに、発光部は収納状態から使用状態となる。そして、電源オン状態で発光部が使用状態となっているときに、手動操作によって使用状態から収納状態とすることができ、発光部を収納状態のまま、電源オフ状態とすることができる。さらに、電源オフ状態で発光部が収納状態となっているときに、手動操作によって収納状態から使用状態とすることができ、発光部を使用状態のまま、電源オン状態とすることができる。
【００６９】
したがって、レンズ鏡筒ユニットに連動させて、発光部を使用状態と収納状態との間で移動させるものでありながら、電源オン状態でも、電源オフ状態でも、手動操作によって発光部を使用状態と収納状態との間で移動させることも可能となる。さらに、手動操作によって発光部を移動させた後は、発光部はその状態のまま、デジタルカメラの電源をオンオフすることができる。すなわち、電源オン状態で発光部を手動操作によって収納し、電源をオフにした場合にも、次に電源をオンすれば、発光部は収納状態から使用状態となる。同様に、電源オフ状態で発光部を手動操作によって使用状態として、電源をオンにした後、電源をオフすれば、発光部は使用状態から収納状態となる。
【００７０】
そして、第１のクリアランスＫ１を形成することで、発光ユニット１を手動操作によって、収納状態から使用状態に移動させる際には、スライダ３７が移動することなく、発光ユニット１が収納状態から第１の状態まで移動する。そして、発光ユニット１とスライダ３７とが一体となって動き出すときには、クリアランスＴが形成され、発光ユニット１に大きな力を掛けやすくなる。
【００７１】
＜図７に開示のカムをそのまま用いた場合の考慮点＞
以上のように、図７を用いて駆動環３０に形成される３つのカム形状の概要、図８を用いて発光部の動作、図９を用いて、発光部が手動操作される際の動作、図１０を用いて、収納状態の発光部を手動操作で使用状態にする動作を説明した。ここで、留意いただきたいのは、下記点である。
【００７２】
例えば、図７（ｃ）において、ストロボフォロワー３９がポジション３０ｂ２にある状態からポジション３０ａ１に駆動環３０の回転により移行するとき、発光ユニット１は収納状態から一旦使用状態へ移行するような動きが発生する。これは、ストロボフォロワー３９が、第２のストロボカム３０ｂとの係合が解除されて駆動環３０の外周面に乗り上げた後、第１のストロボカム３０ａとの係合が開始される際のストロボフォロワー３９の挙動によるものである。すなわち、ストロボフォロワー３９が、第１のストロボカム３０ａとの係合が開始される際に、圧縮ばね４０の分力が、図７（ｃ）の紙面に向かって下側、すなわち、発光ユニット１が使用状態になる方向に力が働くためである。これは、駆動環３０の回転に対する第１のストロボカム３ａのリードが比較的に立っていないことと、この第１のストロボカム３ａのカム溝側面のテーパーのテーパー角により形成されるからである（図７（ｂ）参照）。
【００７３】
このような意図しない発光ユニット１の開閉によって音等も発生し、ユーザーによってはカメラが故障していると間違って判断されるおそれがある。
【００７４】
＜駆動環３０に形成されるカム形状＞
上述したような考慮点を鑑みて、駆動環３０に形成されるカム形状は図１１に説明するようなカム形状を備える。なお、図１１では、説明を簡単にするため第３のストロボカム３ｃの説明を割愛している。ただし、第３のストロボカム３ｃについても、上記と同様の課題が発生する。これは、ストロボフォロワー３９がポジション３０ｃ１にある状態からポジション３０ａ２に駆動環３０の回転により移行するとき、発光ユニット１は使用状態から一旦収納状態の方向へ移行するような動きが発生する。この点も下記に説明する内容と同様の内容で解決、もしくは軽減することができる。
【００７５】
図１１にあるように、図７（ｃ）での説明に対して、下記点が異なる。まず、第１のストロボカム３ａについては、光学ユニットを使用状態から収納状態へ移行させるための領域において、駆動環３０の回転に対してθ１のリードを有する第１のリード部とθ２のリードを有する第２のリード部とを有することである。θ１に対してθ２は十分にリードがたっている。また、第２のストロボカム３ｂについては、光学ユニットを使用状態から収納状態へ移行させるための領域において、そのカム溝中心がストロボ閉状態より更にストロボ閉方向に移行するよう形成されている。ここでは、図１１にあるように、第２のカムのカム溝の中心位置が第１のカムの収納位置３０ａ１よりも撮像面側にある。
このように形成されたカムにより、どのように機能するかを以下に説明する。
【００７６】
まず、自動で発光ユニット１を開閉させる場合、第１のストロボカム３ａとストロボフォロワー３９との係合の仕方について説明する。
【００７７】
カメラの電源をＯＮして図１１の駆動環３０がα方向に回転するとストロボフォロワー３９はポジション３０ａ１の位置から移動する。ストロボフォロワー３９は、第１のリード部にあるカム面３０ａａに当接してスライダ３７と一体的に被写体側に押され移動を始める（図６（ｂ））。このカム面３０ａａは駆動環３０の回転方向に対して緩やかなリード角度θ１の傾斜を有する面である。ストロボフォロワー３９は、カム面３０ａａによって徐々被写体側に動かされ、図６や図１０を用いて説明したように軸３０１ａと軸４１０との距離が最も近づいた状態を超える。そうすると、トグルばね４０９の付勢方向が切換わり、ストロボフォロワー３９は第１のストロボカム３ａのカム面３０ａａから離れてカム面３０ａｂに押し付けられる（図６（ｃ））。カム面３０ａａから離れてカム面３０ａｂに押し付けられるまでは、トグルばね４０９の付勢力により移動する。このときのトグルばね４０９の付勢力は、比較的大きな付勢力を有しているため、圧縮ばね４０によるストロボカムフォロワー３９の先端部と第１のストロボカム３ａのカム底との摩擦力に抗して可動する。トグルばね４０９によるカム面３０ａｂへの押し付け力によってカム面３０ａｂとの当接を保ちながらポジション３０ａ２に達しワイド状態とする。カム面３０ａｂもカム面３０ａａと同様第１のリード部にある。
【００７８】
ポジション３０ａ２からポジション３０ａ３の間は駆動環３０の回転方向と平行にカムが切られているためスライダ３７は光軸方向に一定の位置を保ち発光ユニット１の状態は図６（ｃ）のように開状態のままである。なお、ここでは、回転方向と平行にカムを切ったが、ズームストロボとして機能させるために、カムにリードを持たせてもよい。
【００７９】
ストロボフォロワー３９がポジション３０ａ３にあって、デジタルカメラの電源がＯＦＦされた場合には、上記と逆のルートを辿ることになる。デジタルカメラの電源をＯＦＦして図１１の駆動環３０がβ方向に回転するとストロボフォロワー３９はポジション３０ａ３からポジション３０ａ２まで光軸方向に対して一定の位置を保つ。そのため、発光ユニット１の状態は図６（ｃ）のように開状態のままである。ポジション３０ａ２からは第１のストロボカム３ａの角度θ１の第１のリード部のカム面３０ａｂにストロボフォロワー３９が当接する。この当接により、スライダ３７との係合により撮像面側（図１１の紙面に向かって上側）に押され移動を始める。このとき、スライダ３７のＵ字部３７ｂがストロボホルダー４０８の突起４０８ｂに当接することで発光ユニット１を徐々に閉じていくことになる。カム面３０ａｂによって更に撮像面側に動かされると、図６や図１０を用いて説明したように軸３０１ａと軸４１０との距離が最も近づいた状態を超える。こうなるとトグルばね４０９の付勢方向が切換わる。このときのトグルばね４０９の付勢力は比較的に強いので、圧縮ばね４０によるストロボカムフォロワー３９の先端部と第１のストロボカム３ａのカム底との摩擦力に抗してストロボカムフォロワー３９は可動する。そうするとストロボフォロワー３９は、駆動環３０のカム面３０ａａに押し付けられ（図５（ａ））、その押し付け力によってカム面３０ａａとの当接を保ちながらポジション３０ａ４の位置に達する。このとき、軸３０１ａと軸４１０とが比較的に離れているので、トグルばね４０９の付勢力は比較的に弱い。したがって、スライダ３７の圧縮ばね４０のばね力はトグルばね４０９よりも十分大きくなっているためカム面３０ａａの端部であるポジション３０ａ４からカム面３０ａｃの方には移動しない。ストロボフォロワー３９は光軸方向の位置を、ストロボフォロワー３９とカム底面との摩擦力によって保ちながらポジション３０ａ１まで移動する。
【００８０】
次に、発光ユニット１の使用状態（ワイド状態とテレ状態の間、ポジション３０ａ２と３０ａ３との間）において、手動によって発光ユニット１を収納状態に切り換えた場合を説明する。
【００８１】
手動で発光ユニット１を収納状態にすると図９を用いて前述したような経緯を経て、ストロボフォロワー３９は第２のストロボカム３０ｂと係合した状態となっている。第２のストロボカム３０ｂは、ポジション３０ｂ２とポジション３０ｂ３の間の第２のストロボカム３０ｂが駆動環３０の回転方向に対してリードを持たない平行なカムが設けられている。そのため発光ユニット１は収納状態を保つ。
【００８２】
ポジション３０ｂ２とポジション３０ｂ３の間で、デジタルカメラの電源をＯＦＦすると、駆動環３０が図１１のβ方向に回転する。ストロボフォロワー３９がポジション３０ｂ２を越えるとカム面３０ｂａによってスライダ３７と一体的に撮像面側に移動する（発光ユニット１の閉じ状態は変わらない）。更に駆動環３０の回転が続くと、ストロボフォロワー３９はカム面３０ｂａの端部に達して駆動環３０の外周面に乗り上げる。ここで、カム面３０ｂａが存在する第２のストロボカム３０ｂは、駆動環３０の回転に対してリード角度θ３の第３のリード部を有している。そして、ストロボカム３０ａのカム面３０ａｃを滑り落ちポジション３０ａ５に移行する。これにより、ストロボフォロワー３９は、ストロボカム３０ｂからストロボカム３０ａに乗り移る。第３のリード部は、第１のリード部、第２のリード部よりも角度が小さくてよい。第３のリード部は、第２のストロボカム３０ｂから第１のストロボカム３０ａに係合が乗り移るとき、被写体側にストロボフォロワー３９が移動するのを防ぐためだからである。
【００８３】
ここで、ストロボフォロワー３９がカム面３０ａｃを滑り落ちてポジション３０ａ５に移行する際の光軸方向の被写体側に働く力が図７（ｃ）の場合に比べて十分に小さい。カム面３０ａｃは駆動環３０の回転方向に対してリードの比較的に立った角度θ２（θ１＜＜θ２）となっているため、第１のストロボカム３ａのカム溝側面のテーパーのテーパー角があっても、圧縮ばね４０の付勢力による分力が小さいからである。したがって、図１１に説明した構成によれば図７（ｃ）の構成の場合と異なり、第１のクリアランスＫ１の存在と相俟って、発光ユニット１を使用状態の方向に開くまでスライダ３７を被写体側に動かすには至らない。さらに駆動環３０が回転し、ストロボフォロワー３９が第１のストロボカム３０ａの底面を移動した後にカム面３０ａｄに当接する。このカム面３０ａｄにストロボフォロワー３９が当接を保ちながらスライダ３７と一体的に被写体側に移動してポジション３０ａ１に達する。
【００８４】
上記のように、ストロボカムフォロワー３９が、ポジション３０ａ１から駆動環３０の回転力を受けてポジション３０ａ２へ移動する場合はポジション３０ａ４を経由する。一方、ストロボカムフォロワー３９が、ポジション３０ｂ２から駆動環３０の回転力を受けてポジション３０ａ１へ移動する場合はポジション３０ａ５を経由する。これはポジション３０ａ１と第２のストロボカム３０ｂの中心線とを光軸方向に距離Ｌだけずらすものである。これによって、上述のように圧縮ばね４０とトグルばね４０９との付勢力の差を利用して、例えば、ポジション３０ａ１からポジション３０ａ２の移行の際には、カム面３０ａｃに当接させる確率を低くする。このことで、ストロボカムフォロワー３９が第１のストロボカム３０ａに沿って移動しやすいようにしている。すなわち、ストロボフォロワー３９の光軸方向の通過位置をより離してカム面３０ａａとカム面３０ａｃに正確に乗せるためである。
【００８５】
次に、発光ユニット１を手で押えて強制的に収納状態を保ったままデジタルカメラの電源をＯＮする場合を説明する。ストロボフォロアワー３９は、駆動環３０の回転によって、ポジション３０ａ１からポジション３０ａ４を経由してポジション３０ｂ２へ移行する。このポジション３０ａ４は、第１のストロボカム３０ａの緩やかな角度θ１の傾斜を有するカム面３０ａａにある。発光ユニット１は手で収納状態が保たれているため、スライダ３７と一体的にストロボフォロワー３９は光軸方向の移動なくそのままの位置でストロボカム３０ａのカム面３０ａａを上る。そして、スライダ３７と一体的にストロボフォロワー３９は駆動環３０の外周面を経てストロボカム３０ｂの第３のリード部にあるカム面３０ｂａを滑り下りてＷＩＤＥ位置に達する。この駆動環３０の外周面からポジション３０ｂ２へ移行する際、スライダ３７は発光ユニット１を更に閉じる方向に動く。カム面３０ｂａを有する第２のストロボカム３０ｂ部分は駆動環３０の回転に対してリードがたっているからである（角度θ３）。
【００８６】
さらに、駆動環３０の回転によりストロボフォロワー３９がカム面３０ａｃに衝突するとすると、カム面３０ａｃの当接衝撃が強過ぎてカメラの動作を続けるうちにカム面３０ａｃが磨耗してしまう。その磨耗による溝がカム面３０ａｃに形成されてしまうと強制的に手で発光ユニット１を押えて閉じ状態にしていない場合でもストロボフォロワー３９はその溝を通過してストロボカム３０ｆの方に遷移して発光ユニット１が開かないという不具合が生じる。
【００８７】
こういう理由からも駆動環３０の回転方向との角度が緩やかなθ１のカム面３０ａａと角度の立ったθ２のカム面３０ａｃを使い分ける必要がある。そのため、ポジション３０ａ１と第２のストロボカム３０ｂの中心線とを光軸方向に距離Ｌだけずらしている。
【００８８】
本実施例では、デジタルカメラの使用状態において手動で発光ユニット１を収納状態にした後にカメラの電源をＯＦＦする場合に意図しない発光ユニット１の開閉が起きない機構を説明した。この点、発光ユニット１の収納状態において発光ユニットを手動で使用状態に切り換えることを可能とする第３のストロボカム３０ｃある場合も同様な構成のカム面を設けることが望ましい。
【符号の説明】
【００８９】
１  発光ユニット
３０  駆動環
３０ａ  第１のストロボカム
３０ｂ  第２のストロボカム
３０ｃ  第３のストロボカム
３７  スライダ
３９  ストロボフォロワー
４４  駆動源
【図１】
0005574732.tif 000002
【図２】
0005574732.tif 000003
【図３】
0005574732.tif 000004
【図４】
0005574732.tif 000005
【図５】
0005574732.tif 000006
【図６】
0005574732.tif 000007
【図７】
0005574732.tif 000008
【図８】
0005574732.tif 000009
【図９】
0005574732.tif 000010
【図１０】
0005574732.tif 000011
【図１１】
0005574732.tif 000012